(57)【特許請求の範囲】
【請求項１】
居室の湿度を調整するための調湿システムであって、
調湿機能を具えた調湿手段と、
前記調湿手段に相対湿度の高い第１空気を供給して、前記調湿手段に吸湿させる第１空気流路と、
吸湿させた前記調湿手段に、相対湿度の低い第２空気を供給し、前記調湿手段から放湿させて相対湿度を高めた第３空気を得るとともに、この第３空気を前記居室に供給する第２空気流路とを含み、
前記第１空気流路及び前記第２空気流路の少なくとも一部は、前記居室に面した建築用のパネル内をのびており、
前記パネルは、外周部に配された枠体と、この枠体の両側の面にそれぞれ配された面材とを具え、
前記調湿手段は、各面材の内側に沿って配された一対の調湿ボードを含み、
前記第１空気流路及び前記第２空気流路の少なくとも一部は、前記調湿ボードの間の隙間により形成されている、
調湿システム。
【請求項２】
前記第１空気は、室外空気であり、
前記第２空気は、前記室外空気よりも高温の前記居室の空気である請求項１記載の調湿システム。
【請求項３】
前記第１空気は、前記居室の空気であり、
前記第２空気は、前記居室の空気よりも高温の空調された空気である請求項１記載の調湿システム。
【請求項４】
前記第１空気は、室外空気であり、
前記第２空気は、前記居室の空気よりも高温の空調された空気である請求項１記載の調湿システム。
【発明の詳細な説明】
【技術分野】
【０００１】
本発明は、調湿システムに関し、詳しくは、居室の湿度を調整することができる調湿システムに関する。
【背景技術】
【０００２】
従来、建築物には、居室に面して配置される調湿パネルが広く用いられている。このような調湿パネルは、例えば、居室の空気の湿度が高い場合、空気中に含まれる水分を吸収することができる。また、居室の空気の湿度が低い場合には、調湿パネルに含まれる水分が、空気中に放出される。従って、調湿パネルは、居室の空気を調湿することができる。
【先行技術文献】
【特許文献】
【０００３】
【特許文献１】特開２００４−７６４９４号公報
【発明の概要】
【発明が解決しようとする課題】
【０００４】
上記のような調湿パネルは、居室の空気中に含まれる水分量に応じて、水分の吸収及び放出が自然に行われる。このように、調湿パネルによる吸湿及び放湿は、居室の室内環境に依存するため、湿度を調節することが難しいという問題があった。
【０００５】
本発明は、以上のような実状に鑑み案出されたもので、居室の湿度を調節することができる調湿システムを提供することを主たる目的としている。
【課題を解決するための手段】
【０００６】
本発明は、居室の湿度を調整するための調湿システムであって、調湿機能を具えた調湿手段と、前記調湿手段に相対湿度の高い第１空気を供給して、前記調湿手段に吸湿させる第１空気流路と、吸湿させた前記調湿手段に、相対湿度の低い第２空気を供給し、前記調湿手段から放湿させて相対湿度を高めた第３空気を得るとともに、この第３空気を前記居室に供給する第２空気流路とを含み、前記第１空気流路及び前記第２空気流路の少なくとも一部は、前記居室に面した建築用のパネル内をのびており、前記パネルは、外周部に配された枠体と、この枠体の両側の面にそれぞれ配された面材とを具え、前記調湿手段は、各面材の内側に沿って配された一対の調湿ボードを含み、前記第１空気流路及び前記第２空気流路の少なくとも一部は、前記調湿ボードの間の隙間により形成されていることを特徴とする。
【０００７】
本発明に係る前記調湿システムにおいて、前記第１空気は、室外空気であり、前記第２空気は、前記室外空気よりも高温の前記居室の空気であるのが望ましい。
【０００８】
本発明に係る前記調湿システムにおいて、前記第１空気は、前記居室の空気であり、前記第２空気は、前記居室の空気よりも高温の空調された空気であるのが望ましい。
【０００９】
本発明に係る前記調湿システムにおいて、前記第１空気は、室外空気であり、前記第２空気は、前記居室の空気よりも高温の空調された空気であるのが望ましい。
【発明の効果】
【００１２】
本発明の調湿システムは、調湿機能を具えた調湿手段と、調湿手段に、相対湿度の高い第１空気を供給して調湿手段に吸湿させる第１空気流路と、吸湿させた調湿手段に、相対湿度の低い第２空気を供給し、調湿手段から放湿させて相対湿度を高めた第３空気を得るとともに、この第３空気を前記居室に供給する第２空気流路とを含んでいる。
【００１３】
このような調湿システムでは、調湿手段に予め蓄えておいた水分を利用して、相対湿度を高めた第３空気を得ることができる。この第３空気が、例えば、湿度の低い居室に供給されることにより、居室を効果的に加湿することができる。従って、本発明の調湿システムは、居室の室内環境に依存することなく、居室の湿度を調節することができる。
【図面の簡単な説明】
【００１４】
【図１】本実施形態の建築用のパネルが用いられる建築物の概念図である。
【図２】本実施形態の建築用のパネルの斜視図である。
【図３】図２の建築用のパネルの正面図である。
【図４】図３のＡ−Ａ断面図である。
【図５】空気の相対湿度と、調湿手段の平衡含水率との関係を示すグラフである。
【図６】本実施形態の調湿システムの第１空気流路を説明する概念図である。
【図７】本実施形態の調湿システムの第２空気流路を説明する概念図である。
【図８】本発明の他の実施形態の建築用のパネルが用いられる建築物の概念図である。
【図９】空気の相対湿度と、調湿手段の平衡含水率との関係を示すグラフである。
【図１０】本発明の他の実施形態の建築用のパネルの正面図である。
【図１１】本発明の他の実施形態の第１空気流路を説明する概念図である。
【図１２】本発明の他の実施形態の第２空気流路を説明する概念図である。
【図１３】本発明のさらに他の実施形態の建築用のパネルが用いられる建築物の概念図である。
【図１４】空気の相対湿度と、調湿手段の平衡含水率との関係を示すグラフである。
【図１５】本発明のさらに他の実施形態の建築用のパネルの正面図である。
【図１６】本発明のさらに他の実施形態の第１空気流路を説明する概念図である。
【図１７】本発明の他の実施形態の第２空気流路を説明する概念図である。
【発明を実施するための形態】
【００１５】
以下、本発明の実施の一形態が図面に基づき説明される。
本実施形態の調湿システムは、居室の湿度を調整するためのものである。図１は、本実施形態の調湿システムが用いられる建築物Ｂの概念図である。本実施形態の調湿システムは、建築用のパネル（以下、単に「パネル」ということがある）２が用いられている。パネル２は、例えば、一般的な住宅やビル等の建築物の壁パネル、天井パネル、又は、床パネル等として用いられる。本実施形態のパネル２は、建築物Ｂの居室Ｌに配置される壁パネル２Ａとして構成されている。さらに、本実施形態の壁パネル２Ａは、複数の居室Ｌのうち、寝室Ｌｓに設けられている。
【００１６】
図２は、本実施形態のパネルの斜視図である。図３は、図２のパネルの正面図である。図４は、図３のＡ−Ａ断面図である。図４では、後述する第２取込ダンパー２５を省略して表示している。図２及び図３に示されるように、本実施形態のパネル２は、外周部に配された枠体３と、この枠体３の両側の面にそれぞれ配された面材４、４とを具えている。これらの枠体３及び一対の面材４、４により、パネル２の内部には、枠体３及び一対の面材４、４で囲まれる空間５が形成される。
【００１７】
枠体３は、上枠材３Ａ、下枠材３Ｂ、及び、上枠材３Ａと下枠材３Ｂとの間を上下に継ぐ一対の縦枠材３Ｃ、３Ｃを含んでいる。これにより、枠体３は、正面視において、矩形状に形成される。
【００１８】
図４に拡大して示されるように、上枠材３Ａ及び下枠材３Ｂは、例えば、ウエブ３ａ、及び、ウエブ３ａの両端から鍔状にのびる一対のフランジ３ｂ、３ｂを含んで構成されている。これにより、各枠材３Ａ及び３Ｂは、ウエブ３ａと一対のフランジ３ｂ、３ｂとで形成された凹部３ｈを有する断面コ字状に形成される。図２に示されるように、一対の縦枠材３Ｃ、３Ｃは、例えば、断面矩形状に形成された木質材によって形成されている。
【００１９】
図４に示されるように、上枠材３Ａの凹部３ｈ及び下枠材３Ｂの凹部３ｈは、枠体３の内側を互いに向くように配置されている。一対の縦枠材３Ｃ、３Ｃの上端は、上枠材３Ａの凹部３ｈの内部にそれぞれ配置されている。一対の縦枠材３Ｃ、３Ｃの下端は、下枠材３Ｂの凹部３ｈの内部にそれぞれ配置されている。一対の縦枠材３Ｃ、３Ｃの上端及び下端は、上枠材３Ａ及び下枠材３Ｂに、ビス等の固着具（図示省略）によって固定されている。
【００２０】
図２及び図３に示されるように、一対の縦枠材３Ｃ、３Ｃ間には、上枠材３Ａと下枠材３Ｂとの間を上下にのびる少なくとも一つ、本実施形態では一つのスタッド６が設けられている。このようなスタッド６により、パネル２の空間５は、パネル幅方向の一方側Ｓ１に配置される第１空間５Ａと、パネル幅方向の他方側Ｓ２に配置される第２空間５Ｂとに区分される。
【００２１】
図２に示されるように、本実施形態のスタッド６は、一対の縦枠材３Ｃ、３Ｃと同様に、例えば、断面矩形の木質材によって形成されている。スタッド６の上端は、上枠材３Ａに固定されている。スタッド６の下端は、下枠材３Ｂに固定されている。このようなスタッド６により、パネル２の強度が高められる。
【００２２】
図２に示されるように、スタッド６には、第１空間５Ａと第２空間５Ｂとを継ぐ連通部７が設けられている。本実施形態の連通部７は、例えば、パネル２の厚さ方向の一方側が、断面矩形状に切り欠かれることによって形成されている。このような連通部７により、第１空間５Ａと第２空間５Ｂとが、パネル２の幅方向で連通されうる。本実施形態の連通部７は、スタッド６（パネル２）の下方側に設けられているが、このような態様に限定されることはなく、例えば、スタッド６（パネル２）の上方側に設けられてもよい。
【００２３】
一対の面材４、４は、例えば、枠体３の両側の面を覆う大きさを有し、正面視矩形の板状に形成されている。一対の面材４、４は、例えば、石膏ボード等で形成されうる。各面材４、４は、枠体３の両側の面に、例えばビス等の固着具によって固定される。一対の面材４、４には、居室Ｌに面して配される居室側面材４ｓが含まれている。この居室側面材４ｓの表面には、例えば壁紙等が配されている。
【００２４】
図４に示されるように、本実施形態では、各面材４、４の内側に、防湿層９、９がそれぞれ配置されている。各防湿層９、９は、例えば、シート状に形成されている。また、本実施形態の各防湿層９、９は、各面材４、４の内側の全域に配置されている。このような防湿層９、９により、居室の空気Ａｉ中に含まれる水分が、面材４を介して、パネル２の内部へ浸入するのを防ぐことができるため、パネル２の内部の結露を防ぐことができる。さらに、一対の空間５Ａ、５Ｂの空気中に含まれる水分が、面材４を介して、居室Ｌ側に浸入するのを防ぐことができる。
【００２５】
さらに、本実施形態の各面材４、４の内側には、断熱材１０、１０がそれぞれ配置されている。本実施形態の断熱材１０、１０は、防湿層９、９を介して、パネル２の厚さ方向の内側に配置されている。一対の断熱材１０、１０は、パネル２の厚さ方向において、互いに離間している。このような断熱材１０により、居室Ｌの断熱性を高めることができる。なお、断熱材１０には、例えば、ロックウールや、グラスウール等の繊維材や、ポリスチレンフォーム等の樹脂材等が採用されうる。
【００２６】
図２に示されるように、本実施形態のパネル２には、空気取込口１３と、空気取出口１４と、空気流路１５（図３に示す）と、調湿手段１６（図４に示す）とがさらに含まれている。
【００２７】
空気取込口１３は、パネル２の空気流路１５（図３に示す）内に、空気を取り込むためのものである。本実施形態の空気取込口１３は、枠体３に設けられた第１取込口１３ａと、居室側面材４ｓに設けられた第２取込口１３ｂとを含んでいる。これらの第１取込口１３ａ及び第２取込口１３ｂは、パネル２の上下方向において、スタッド６の連通部７が設けられる方向（本実施形態では、パネル２の下方側）に対して、逆側（本実施形態では、パネル２の上方側）に設けられている。
【００２８】
図４に示されるように、本実施形態の第１取込口１３ａは、枠体３の上枠材３Ａを、上下方向に貫通している。図３に示されるように、第１取込口１３ａは、スタッド６に対して一方側Ｓ１に配置されている。これにより、第１取込口１３ａと、空気流路１５（第１空間５Ａ）とが連通されうる。図２に示されるように、本実施形態の第１取込口１３ａは、平面視において円形状に形成されているが、このような態様に限定されるわけではない。第１取込口１３ａは、例えば、平面視において、矩形状や三角形状等に形成されてもよい。
【００２９】
図２及び図４に示されるように、本実施形態の第２取込口１３ｂは、居室側面材４ｓの上方側において、居室側面材４ｓ、防湿層９、断熱材１０及び調湿手段１６を、パネル２の厚さ方向に貫通している。第２取込口１３ｂは、スタッド６に対して、一方側Ｓ１に設けられている。これにより、第２取込口１３ｂと、空気流路１５（第１空間５Ａ）とが連通されうる。本実施形態の第２取込口１３ｂは、正面視において、横長矩形状に形成されているが、このような態様に限定されるわけではない。第２取込口１３ｂは、例えば、正面視において、円形状や三角形状等に形成されてもよい。
【００３０】
図２及び図３に示されるように、空気取出口１４は、空気流路１５の空気Ａｃを、パネル２の外部に排出するためのものである。本実施形態の空気取出口１４は、枠体３に設けられた第１取出口１４ａと、居室側面材４ｓに設けられた第２取出口１４ｂとを含んでいる。これらの第１取出口１４ａ及び第２取出口１４ｂは、第１取込口１３ａ及び第２取込口１３ｂと同様に、スタッド６の連通部７が設けられる方向（本実施形態では、パネル２の下方側）に対して、逆側（本実施形態では、パネル２の上方側）に設けられている。
【００３１】
本実施形態の第１取出口１４ａは、第１取込口１３ａと同様に、枠体３の上枠材３Ａを、上下方向に貫通している。第１取出口１４ａは、スタッド６に対して、他方側Ｓ２に配置されている。これにより、第１取出口１４ａと、空気流路１５（第２空間５Ｂ）とが連通されうる。本実施形態の第１取出口１４ａは、第１取込口１３ａと同様に、平面視において円形状に形成されているが、このような態様に限定されるわけではない。
【００３２】
本実施形態の第２取出口１４ｂは、第２取込口１３ｂと同様に、居室側面材４ｓの上方側において、居室側面材４ｓ、防湿層９、断熱材１０及び調湿手段１６を、パネル２の厚さ方向に貫通している。第２取出口１４ｂは、スタッド６に対して、他方側Ｓ２に配置されている。これにより、第２取出口１４ｂと、空気流路１５（第２空間５Ｂ）とが連通されうる。本実施形態の第２取出口１４ｂは、第２取込口１３ｂと同様に、正面視において、横長矩形状に形成されているが、このような態様に限定されるわけではない。
【００３３】
図３に示されるように、本実施形態の空気流路１５は、第１空間５Ａ、第２空間５Ｂ、及び  第１空間５Ａと第２空間５Ｂとを継ぐ連通部７を含んで構成されている。これにより、空気流路１５は、パネル内部を、正面視略Ｕ字状にのびている。本実施形態では、第１空間５Ａの上方側を、空気流路１５の一端側としている。さらに、第２空間５Ｂの上方側を、空気流路１５の他端側としている。
【００３４】
図３に示されるように、空気流路１５の一端側（即ち、第１空間５Ａの上方側）は、空気取込口１３（本実施形態では、第１取込口１３ａ及び第２取込口１３ｂ）と連通している。これにより、空気流路１５には、空気取込口１３を介して、外部の空気が取り込まれうる。
【００３５】
空気流路１５の他端側（即ち、第２空間５Ｂの上方側）は、空気取出口１４（本実施形態では、第１取出口１４ａ及び第２取出口１４ｂ）と連通している。これにより、空気流路１５の空気Ａｃが、空気取出口１４を介して、パネル２の外部に排出されうる。
【００３６】
図２及び図４に示されるように、調湿手段１６は、空気中に含まれる水分量に応じて、水分の吸収（吸湿）、及び、水分の放出（放湿）を行う調湿機能を有するものである。調湿手段１６は、パネル内部において、空気流路１５に面する位置の少なくとも一部に配置されている。例えば、空気流路１５に高湿の空気が取り込まれると、空気中に含まれる水分が、調湿手段１６に吸収されうる。また、空気流路１５に低湿の空気が取り込まれると、調湿手段１６に吸収されている水分が、低湿の空気中に放出されうる。
【００３７】
本実施形態の調湿手段１６は、各面材４、４の内側に沿って配された一対の調湿ボード１６ａ、１６ａとして構成されている。各調湿ボード１６ａ、１６ａは、例えば、平面視矩形の板状に形成されており、各面材４、４の内側の全域に配置される。本実施形態の調湿ボード１６ａ、１６ａは、防湿層９、９及び断熱材１０、１０を介して、パネル２の厚さ方向の最も内側に配置されている。さらに、一対の調湿ボード１６ａ、１６ａは、パネル２の厚さ方向において、互いに離間している。これにより、本実施形態のパネル２は、調湿ボード１６ａ、１６ａ間の隙間によって、空気流路１５が形成されている。このような一対の調湿ボード１６ａ、１６ａにより、空気流路１５の全域に亘って、調湿手段１６が配置されるため、調湿機能を効果的に発揮することができる。
【００３８】
調湿手段１６（調湿ボード１６ａ）は、相対湿度が１０％ＲＨ〜７０％ＲＨにおいて、吸放湿量が１００ｇ／ｍ２以上、かつ、吸湿速度１５ｇ／ｍ２・ｈ以上が望ましい。このような調湿手段１６により、調湿機能を効果的に発揮することができる。
【００３９】
調湿手段１６（調湿ボード１６ａ）には、上記吸放湿量及び吸湿速度を維持することが可能な調湿材が含まれるのが望ましい。調湿材は、少なくとも表面が多孔質構造を有しているのが望ましい。このような多孔質構造を有する調湿材は、調湿機能を効果的に発揮することができる。
【００４０】
調湿材としては、例えば、珪藻土、珪質頁岩、アロフェン、イモゴライト、酸性白土、セオイオライト、ゼオライト、珪酸カルシウム、シリカゲル、ベントナイト、モンモリロナイト、又は、炭類等が採用されうる。これらの調湿材のいずれか一つを用いて、調湿ボード１６ａが形成されてもよいし、また、これらの調湿材を組み合わせて、調湿ボード１６ａが形成されてもよい。なお、調湿ボード１６ａには、２０〜９５重量％の調湿材が含有されるのが望ましい。
【００４１】
図２に示されるように、本実施形態のパネル２は、例えば、空気取込口１３（第１取込口１３ａ又は第２取込口１３ｂ）から高湿の空気が取り込まれると、空気流路１５に配置された調湿手段１６によって、空気中に含まれる水分が吸収される。水分が吸収された低湿の空気は、空気取出口１４（第１取出口１４ａ又は第２取出口１４ｂ）から取り出される。例えば、居室Ｌ内の高湿の空気が調湿手段１６に供給され、かつ、調湿手段１６に吸湿された低湿の空気が居室Ｌに供給される場合、居室Ｌの除湿をすることができる。
【００４２】
空気取込口（第１取込口１３ａ又は第２取込口１３ｂ）から低湿の空気が取り込まれると、調湿手段１６に吸収されている水分が空気中に放出される。調湿手段１６から水分が放出された高湿の空気は、空気取出口１４（第１取出口１４ａ又は第２取出口１４ｂ）から取り出される。例えば、居室Ｌ内の低湿の空気が調湿手段１６に供給され、かつ、調湿手段１６から放湿された高湿の空気が居室Ｌに供給される場合、居室Ｌを加湿することができる。
【００４３】
このように、本実施形態のパネル２は、居室Ｌに面して配置される従来の調湿パネル（図示省略）とは異なり、パネル内部の空気流路１５内に空気を循環させて、積極的に吸湿及び放湿することができるため、居室Ｌの空気を効果的に調湿することができる。しかも、本実施形態の調湿手段１６は、空気流路１５への空気の供給及び停止が適宜行われることにより、吸湿量及び放湿量が調節されうる。従って、本実施形態のパネル２は、居室Ｌの室内環境に依存することなく、空気を効果的に調湿することができる。
【００４４】
図４に示されるように、本実施形態では、面材４の内側に、防湿層９が配置されているため、調湿手段１６に吸収された水分が、面材４を介して、居室Ｌ等に放出されるのを防ぐことができる。従って、調湿手段１６の平衡含水率の低下を抑制することができ、調湿機能を効果的に発揮することができる。このような作用を効果的に発揮させるために、防湿層９の透湿抵抗は、０．０１７５ｍ２・ｓ・Pa／ng以上が望ましい。
【００４５】
図３に示されるように、本実施形態では、空気取込口１３及び空気取出口１４が、スタッド６の連通部７が設けられる方向（本実施形態では、下方側）に対して、逆側（本実施形態では、上方側）に設けられている。これにより、例えば、空気取込口１３、空気取出口１４及び連通部７が同一方向に設けられる場合や、空気取込口１３と空気取出口１４とが逆方向に設けられる場合に比べて、空気取込口１３から空気取出口１４までの空気流路１５の長さを大きくすることができる。従って、空気流路１５に供給された空気と接触する調湿手段の表面積を大きくすることができるため、空気を効果的に調湿することができる。
【００４６】
図５は、空気の相対湿度と、調湿手段の平衡含水率との関係を示すグラフである。このグラフで示される調湿手段は、概ね３０％ＲＨ〜７０％ＲＨの相対湿度域で、良好な吸放湿性能を有するものである。図５のグラフに示されるように、例えば、冬季において、室外空気（低温の空気）は、居室の空気（高温の空気）に比べて相対湿度が高い。このような相対湿度の高い室外空気は、相対湿度の低い居室の空気に比べて、調湿手段１６（図４に示す）の平衡含水率を高くすることができる。従って、調湿手段１６に効果的に吸湿させるためには、相対湿度の高い室外空気が、調湿手段１６（図４に示す）に供給されるのが望ましい。
【００４７】
また、相対湿度の低い居室の空気は、相対湿度の高い室外空気に比べて、調湿手段１６（図４に示す）の平衡含水率を低くすることができる。従って、調湿手段１６に効果的に放湿させるためには、相対湿度の低い居室の空気が、調湿手段１６（図４に示す）に供給されるのが望ましい。
【００４８】
このような室外空気及び居室の空気を利用して、調湿手段１６に効果的に吸湿及び放湿させるために、本実施形態のパネル２には、図３に示されるように、例えば、取込ダクト２１、第１取込ダンパー２２、取出ダクト２３、第１取出ダンパー２４、第２取込ダンパー２５及び第２取出ダンパー２６がさらに含まれている。
【００４９】
図２に示されるように、取込ダクト２１は、例えば、その一端から他端まで連続する筒状に形成されている。図１に示されるように、取込ダクト２１の一端は、第１取込口１３ａに接続されている。取込ダクト２１の他端は、建築物Ｂの小屋裏３０に接続されている。このようなダクト２１により、小屋裏３０（図１に示す）と空気流路１５（第１空間５Ａ）とが、第１取込口１３ａを介して連通されうる。
【００５０】
小屋裏の空気（室外空気）Ａｏは、例えば、居室の空気Ａｉや、空気調和機で空調（暖房）された空気（図示省略）に比べて温度が低い為、相対湿度が高い。このような小屋裏の空気Ａｏが、取込ダクト２１及び第１取込口１３ａを介して、空気流路１５内に配置される調湿手段１６（図４に示す）に供給されることにより、小屋裏の空気Ａｏに含まれる水分を、調湿手段１６に効果的に吸収させることができる。
【００５１】
図１に示されるように、本実施形態の取込ダクト２１には、小屋裏３０側からパネル２側に向かって送風するファン２９が設けられている。このようなファン２９が運転されることにより、小屋裏３０を負圧にして、小屋裏の空気（室外空気）Ａｏを、調湿手段１６に積極的に供給することができる。
【００５２】
空気流路１５に供給された小屋裏の空気Ａｏは、第１空間５Ａから連通部７を介して、第２空間５Ｂに供給される。従って、図３に示されるように、小屋裏の空気Ａｏ（図２に示す）を、空気流路１５の一端側から他端側にかけて循環させることができるため、空気流路１５の全域に配置された調湿手段１６に、小屋裏の空気Ａｏに含まれる水分を万遍なく吸収させることができる。なお、ファン２９の運転・停止は、例えば、制御手段や、居住者の操作によって実施されるのが望ましい。
【００５３】
図４に示されるように、本実施形態では、面材４と調湿ボード１６ａとの間に、断熱材１０が配されている。このため、空気流路１５に供給された小屋裏の空気（室外空気）Ａｏが、居室の空気Ａｉ等によって暖められるのを防ぐことができる。従って、空気流路１５に供給された小屋裏の空気Ａｏの相対湿度の低下を抑制でき、調湿手段１６への水分の吸収率が低下するのを防ぐことができる。このような作用を効果的に発揮させるために、断熱材１０の熱抵抗は、０．２ｍ２Ｋ／Ｗ以上が望ましい。
【００５４】
図１に示されるように、本実施形態では、取込ダクト２１の他端が、小屋裏３０に接続される態様が例示されたが、これに限定されるわけではない。例えば、取込ダクト２１の他端は、建築物Ｂの屋外Ｓｏに接続されてもよい。冬季において、屋外Ｓｏの空気は、小屋裏の空気と同様に、居室の空気に比べて相対湿度が高い。このような屋外Ｓｏの空気（室外空気）が、図３に示した空気流路１５に供給されることにより、屋外Ｓｏの空気中に含まれる水分が、調湿手段１６（図４に示す）に効果的に吸収されうる。
【００５５】
図１に示されるように、第１取込ダンパー２２は、取込ダクト２１の他端側を開閉するためのものである。例えば、第１取込ダンパー２２が開かれることにより、図４に示されるように、小屋裏の空気Ａｏが、空気流路１５に供給されうる。また、第１取込ダンパー２２（図１に示す）が閉じられることにより、例えば、冬季の自然換気によって、居室の空気Ａｉが小屋裏３０へ流出するのを防ぐことができる。第１取込ダンパー２２の開閉は、例えば、制御手段や、居住者の操作によって実施されるのが望ましい。
【００５６】
図２に示されるように、取出ダクト２３は、取込ダクト２１と同様に、筒状に形成されている。図１に示されるように、取出ダクト２３の一端は、第１取出口１４ａに接続されている。取出ダクト２３の他端は、建築物の小屋裏３０に接続されている。このような取出ダクト２３により、図２に示した空気流路１５（第２空間５Ｂ）と小屋裏３０とが、第１取出口１４ａを介して連通されうる。これにより、図２に示されるように、空気流路１５を循環した空気Ａｃを、小屋裏３０（図１に示す）に直接排出することができる。例えば、調湿手段１６に吸湿された室外空気Ａｏが小屋裏３０に排出される場合には、低温の室外空気Ａｏが居室Ｌに供給されるのを防ぐことができるため、居室Ｌの温度低下を防ぐことができる。
【００５７】
本実施形態では、取出ダクト２３の他端が、小屋裏３０に接続される態様が例示されたが、これに限定されるわけではない。例えば、取出ダクト２３の他端は、建築物Ｂの屋外Ｓｏ（図１に示す）に接続されてもよい。
【００５８】
図１に示されるように、第１取出ダンパー２４は、取出ダクト２３の他端側を開閉するためのものである。例えば、第１取出ダンパー２４が開かれることにより、空気流路１５を循環した空気Ａｃが、小屋裏３０に排出されうる。また、第１取出ダンパー２４が閉じられることにより、例えば、冬季の自然換気によって、居室の空気Ａｉが小屋裏３０へ流出するのを防ぐことができる。第１取出ダンパー２４の開閉は、例えば、制御手段や、居住者の操作によって実施されるのが望ましい。
【００５９】
図２に示されるように、第２取込ダンパー２５は、第２取込口１３ｂを開閉するためのものである。例えば、第２取込ダンパー２５が開かれることにより、居室の空気Ａｉを、空気流路１５（図３に示す）に供給することができる。居室の空気Ａｉは、小屋裏の空気（室外空気）Ａｏに比べて温度が高い為、相対湿度が低い。このような居室の空気Ａｉが、空気流路１５内に配置される調湿手段１６に供給されることにより、調湿手段１６に吸収された水分を放出させて、高湿の空気を得ることができる。
【００６０】
第２取込ダンパー２５の開閉は、例えば、制御手段（図示省略）や、居住者の操作によって実施されるのが望ましい。また、第２取込口１３ｂには、居室Ｌ側から空気流路１５側に向かって送風するファン（図示省略）が設けられるのが望ましい。第２取込ダンパー２５が開かれた状態でファンが運転されることにより、居室の空気Ａｉを、空気流路１５に効果的に循環させることができる。
【００６１】
第２取出ダンパー２６は、第２取出口１４ｂを開閉するためのものである。例えば、第２取出ダンパー２６が開かれることにより、空気流路１５を循環した空気Ａｃが、居室Ｌに供給されうる。例えば、調湿手段１６からの放湿により相対湿度が高められた居室の空気Ａｉが、居室Ｌに供給される場合には、居室Ｌを効果的に加湿することができる。なお、第２取出ダンパー２６の開閉は、例えば、制御手段や、居住者の操作によって実施されるのが望ましい。
【００６２】
次に、本実施形態のパネル２を用いて、居室Ｌの湿度を調整する調湿システムについて説明する。本実施形態の調湿システムは、第１空気流路と、第２空気流路とが含まれる。図６は、本実施形態の調湿システムの第１空気流路１５Ａを説明する概念図である。
【００６３】
第１空気流路１５Ａは、調湿手段１６（図４に示す）に相対湿度の高い第１空気Ａ１を供給して、調湿手段１６に吸湿させるためのものである。本実施形態の第１空気Ａ１は、居室の空気Ａｉ（図４に示す）よりも低温の室外空気（小屋裏の空気）Ａｏである。
【００６４】
本実施形態では、第１取込ダンパー２２及び第１取出ダンパー２４が開かれるとともに、第２取込ダンパー２５及び第２取出ダンパー２６が閉じられる。これにより、小屋裏３０からパネル２の第１空間５Ａ及び第２空間５Ｂを経て、小屋裏３０に至る第１空気流路１５Ａが設定される。従って、本実施形態の第１空気流路１５Ａは、その少なくとも一部が、調湿ボード１６ａ、１６ａ（図４に示す）の間の隙間により形成され、かつ、居室Ｌに面したパネル２内をのびている。
【００６５】
また、本実施形態では、取込ダクト２１のファン２９が運転される。このような第１空気流路１５Ａにより、小屋裏の空気（室外空気）Ａｏは、パネル２の内部に配置された調湿手段１６（図４に示す）に供給される。
【００６６】
図５に示したように、冬季において、小屋裏の空気Ａｏは、居室Ｌの空気に比べて相対湿度が高い。このため、小屋裏の空気（室外空気）Ａｏ中に含まれる水分が、調湿手段１６（図４に示す）に効果的に吸収されうる。このように、本実施形態の第１空気流路１５Ａは、相対湿度の高い第１空気Ａ１（本実施形態では、室外空気Ａｏ）を循環させて、調湿手段１６に効果的に吸湿させることができる。
【００６７】
図６に示されるように、第１空気流路１５Ａを循環した空気Ａｃ（本実施形態では、調湿手段１６に水分が吸収された小屋裏の空気（室外空気）Ａｏ）は、第１取出口１４ａ及び取出ダクト２３を介して、小屋裏３０に直接排出される。従って、本実施形態の第１空気流路１５Ａは、室外空気Ａｏが居室Ｌに供給されないため、居室Ｌの温度低下を防ぐことができる。
【００６８】
図７は、本実施形態の調湿システムの第２空気流路１５Ｂを説明する概念図である。第２空気流路１５Ｂは、吸湿させた調湿手段１６（図４に示す）に、相対湿度の低い第２空気Ａ２を供給し、相対湿度を高めた第３空気Ａ３を得るためのものである。本実施形態の第２空気Ａ２は、室外空気（本実施形態では、小屋裏の空気）Ａｏ（図６に示す）よりも高温の居室の空気Ａｉである。
【００６９】
本実施形態では、第２取込ダンパー２５及び第２取出ダンパー２６が開かれるとともに、第１取込ダンパー２２及び第１取出ダンパー２４が閉じられる。さらに、取込ダクト２１のファン２９が停止される。これにより、居室Ｌからパネル２の第１空間５Ａ及び第２空間５Ｂを経て、居室Ｌに至る第２空気流路１５Ｂが設定される。従って、本実施形態の第２空気流路１５ｂは、その少なくとも一部が、調湿ボード１６ａ、１６ａ（図４に示す）の間の隙間により形成され、かつ、居室Ｌに面したパネル２内をのびている。このような第２空気流路１５ｂにより、高温の居室の空気Ａｉは、例えば、第２取込ダンパー２５に設けられたファン等（図示省略）によって、パネル２の内部に配置される調湿手段１６（図４に示す）に供給される。
【００７０】
図５に示されるように、冬季において、居室の空気Ａｉは、小屋裏の空気Ａｏに比べて相対湿度が低い。このため、調湿手段１６（図４に示す）に含まれる水分が、第２空気流路１５Ｂを循環する居室の空気Ａｉ中に、効果的に放出されうる。従って、図７に示されるように、本実施形態の第２空気流路１５Ｂは、第１空気流路１５Ａ（図６に示す）によって吸湿させた調湿手段１６（図４に示す）を放湿させて、相対湿度を高めた第３空気Ａ３を得ることができる。
【００７１】
相対湿度を高めた第３空気Ａ３は、第２取出口１４ｂを介して、居室Ｌに供給される。従って、本実施形態の第２空気流路１５Ｂは、例えば、空気調和機等（図示省略）の空調（暖房）によって湿度が低下しがちな居室Ｌに、高湿の第３空気Ａ３が供給されるため、居室Ｌを効果的に加湿することができる。
【００７２】
このように、本実施形態の調湿システムは、調湿手段１６（図４に示す）に積極的に吸湿させる第１空気流路１５Ａ（図６に示す）と、相対湿度を高めた第３空気Ａ３を得る第２空気流路１５Ｂ（図７に示す）とによって、居室Ｌを加湿することができる。従って、調湿システムは、居室Ｌの室内環境に依存することなく、居室Ｌの湿度を調節することできる。
【００７３】
本実施形態の調湿システムにおいて、図６に示した第１空気流路１５Ａは、居室Ｌに居住者が不在の時に設定されるのが望ましい。これにより、居室Ｌへの加湿を考慮することなく、調湿手段１６に集中して吸湿させることができる。さらに、図７に示した第２空気流路１５Ｂは、居室Ｌに居住者が滞在している時に設定されるのが望ましい。これにより、調湿手段１６に蓄えられた水分を利用して、居室Ｌを集中して加湿することができる。このように、本実施形態の調湿システムは、居住者の生活リズムに合わせて、居室Ｌの湿度をコントロールすることができる。なお、本実施形態のパネル２は、寝室Ｌｓに設けられているため、居住者の就寝時に生じがちな室内乾燥を、効果的に防ぐことができる。
【００７４】
第１空気流路１５Ａ及び第２空気流路１５Ｂの切り替えは、建築物Ｂに設けられた制御手段（図示省略）や、居住者の操作等によって切り替えられるのが望ましい。また、居室Ｌの滞在の有無は、居室Ｌに設けられたセンサーや、予め定められたタイマーによって判断されるのが望ましい。
【００７５】
図８は、本発明の他の実施形態のパネルが用いられる建築物Ｂの概念図である。なお、この実施形態において、前実施形態と同一の構成については、同一の符号を付し、説明を省略することがある。
【００７６】
この実施形態の建築物Ｂには、床下空間３５に設けられた空気調和機３１、及び、空気調和機３１と各居室Ｌとを接続するダクト３６を含んで構成されている。さらに、ダクト３６には、空気調和機３１から各居室Ｌに向かって送風するファン３７が設けられている。このような空気調和機３１及びファン３７が運転されることにより、高温の空調（暖房）された空気Ａｗが各居室Ｌに供給されうる。
【００７７】
図９は、空気の相対湿度と、調湿手段の平衡含水率との関係を示すグラフである。このグラフで示される調湿手段は、概ね１０％ＲＨ〜３０％ＲＨの相対湿度域で、良好な吸放湿性能を有するものである。図９のグラフに示されるように、例えば、冬季において、居室の空気（低温の空気）は、高温に空調（暖房）された空気に比べて相対湿度が高い。このような居室の空気は、高温の空調された空気に比べて、調湿手段１６（図４に示す）の平衡含水率を高くすることができる。従って、調湿手段１６に効果的に吸湿させるためには、相対湿度の高い居室の空気が、調湿手段１６（図４に示す）に供給されるのが望ましい。
【００７８】
また、高温の空調された空気は、居室の空気に比べて、調湿手段１６（図４に示す）の平衡含水率を低くすることができる。従って、調湿手段１６に効果的に放湿させるためには、相対湿度の低い高温の空調された空気が、調湿手段１６（図４に示す）に供給されるのが望ましい。
【００７９】
このような観点に基づいて、この実施形態のパネル２は、居室の空気を利用して調湿手段１６に吸湿させ、かつ、高温の空調された空気を利用して調湿手段１６（図４に示す）に放湿させている。図１０は、本発明の他の実施形態のパネルの正面図である。なお、この実施形態において、前実施形態と同一の構成については、同一の符号を付し、説明を省略することがある。
【００８０】
図８及び図１０に示されるように、この実施形態のパネル２は、前実施形態の第２取込ダンパー２５及び第２取出ダンパー２６に加え、さらに、空調ダクト３２及び第３取込ダンパー３３が含まれている。なお、この実施形態のパネル２には、図１に示した前実施形態の取込ダクト２１、第１取込ダンパー２２、第１取出口１４ａ、取出ダクト２３、及び、第１取出ダンパー２４は含まれていない。
【００８１】
第２取込ダンパー２５は、前実施形態のパネル２と同様に、第２取込口１３ｂを開閉して、居室の空気Ａｉを、空気流路１５内に配置される調湿手段１６（図４に示す）に供給するためのものである。居室の空気Ａｉは、高温の空調（暖房）された空気Ａｗに比べて相対湿度が高い。このような相対湿度が高い居室の空気Ａｉが、空気流路１５内に配置される調湿手段１６（図４に示す）に供給されることにより、居室の空気Ａｉ中に含まれる水分を、調湿手段１６に効果的に吸収させることができる。
【００８２】
空調ダクト３２は、取込ダクト２１（図２に示す）と同様に、その一端から他端まで連続する筒状に形成されている。空調ダクト３２の一端は、第１取込口１３ａに接続されている。空調ダクト３２の他端は、空気調和機３１が接続されるダクト３６に接続されている。このような空調ダクト３２により、空気調和機３１と空気流路１５（第１空間５Ａ）とが、第１取込口１３ａを介して連通されうる。
【００８３】
高温の空調（暖房）された空気Ａｗは、居室の空気Ａｉに比べて相対湿度が低い。このような相対湿度が低い高温の空調された空気Ａｗが、空気流路１５内に配置される調湿手段１６（図４に示す）に供給されることにより、調湿手段１６に吸収された水分を放出させて、高湿の空気を得ることができる。
【００８４】
第３取込ダンパー３３は、空調ダクト３２の他端側を開閉するためのものである。例えば、第３取込ダンパー３３が開かれることにより、空気調和機３１によって高温に空調（暖房）された空気Ａｗが、空気流路１５内に配置される調湿手段１６（図４に示す）に供給されうる。第３取込ダンパー３３が閉じられることにより、高温の空調（暖房）された空気Ａｗが、空気流路１５に供給されるのを防ぐことができる。第３取込ダンパー３３の開閉は、例えば、制御手段や、居住者の操作によって実施されるのが望ましい。
【００８５】
次に、この実施形態のパネル２を用いて、居室Ｌの湿度を調整する調湿システムについて説明する。この実施形態の調湿システムは、第１空気流路１５Ａと、第２空気流路１５Ｂとが含まれる。図１１は、本発明の他の実施形態の第１空気流路１５Ａを説明する概念図である。
【００８６】
この実施形態の第１空気流路１５Ａは、前実施形態の第１空気流路１５Ａと同様に、調湿手段１６（図４に示す）に相対湿度の高い第１空気Ａ１を供給して、調湿手段１６に吸湿させるためのものである。本実施形態の第１空気Ａ１は、高温の空調された空気Ａｗよりも低温の居室の空気Ａｉである。
【００８７】
この実施形態では、第２取込ダンパー２５及び第２取出ダンパー２６が開かれるとともに、第３取込ダンパー３３が閉じられる。これにより、居室Ｌからパネル２の第１空間５Ａ及び第２空間５Ｂを経て、居室Ｌに至る第１空気流路１５Ａが設定される。従って、本実施形態の第１空気流路１５Ａは、その少なくとも一部が、調湿ボード１６ａ、１６ａ（図４に示す）の間の隙間により形成され、かつ、居室Ｌに面したパネル２内をのびている。このような第１空気流路１５Ａにより、居室の空気Ａｉは、パネル２の内部に配置された調湿手段１６（図４に示す）に供給される。
【００８８】
居室の空気Ａｉは、高温の空調された空気Ａｗに比べて相対湿度が高い。このため、居室の空気Ａｉ中に含まれる水分が、調湿手段１６（図４に示す）に効果的に吸収されうる。このように、この実施形態の第１空気流路１５Ａは、相対湿度の高い第１空気Ａ１（この実施形態では、居室の空気Ａｉ）を循環させて、調湿手段１６に効果的に吸湿させることができる。
【００８９】
第１空気流路１５Ａを循環した空気Ａｃ（この実施形態では、調湿手段１６に水分が吸収された居室の空気Ａｉ）は、第２取出ダンパー２６を介して、居室Ｌに排出される。これにより、居室Ｌが負圧になるのを防ぐことができるため、居室Ｌの隙間から冷気が浸入するのを防ぐことができる。
【００９０】
図１２は、本発明の他の実施形態の第２空気流路１５Ｂを説明する概念図である。この実施形態の第２空気流路１５Ｂは、前実施形態の第２空気流路１５Ｂ（図７に示す）と同様に、吸湿させた調湿手段１６（図４に示す）に、相対湿度の低い第２空気Ａ２を供給し、相対湿度を高めた第３空気Ａ３を得るためのものである。この実施形態の第２空気Ａ２は、居室の空気Ａｉよりも高温の空調された空気Ａｗである。
【００９１】
この実施形態では、第３取込ダンパー３３及び第２取出ダンパー２６が開かれるとともに、第２取込ダンパー２５が閉じられる。これにより、空気調和機３１（ダクト３６）からパネル２の第１空間５Ａ及び第２空間５Ｂを経て、居室Ｌに至る第２空気流路１５Ｂが設定される。従って、本実施形態の第２空気流路１５Ｂは、その少なくとも一部が、調湿ボード１６ａ、１６ａ（図４に示す）の間の隙間により形成され、かつ、居室Ｌに面したパネル２内をのびている。このような第２空気流路１５Ｂにより、高温の空調された空気Ａｗは、パネル２の内部に配置される調湿手段１６（図４に示す）に供給される。
【００９２】
高温の空調された空気Ａｗは、居室の空気Ａｉに比べて相対湿度が低い。このため、調湿手段１６に含まれる水分が、第２空気流路１５Ｂを循環する高温の空調された空気Ａｗ中に、効果的に放出されうる。従って、この実施形態の第２空気流路１５Ｂは、第１空気流路１５Ａ（図１１に示す）によって吸湿させた調湿手段１６（図４に示す）を放湿させて、相対湿度を高めた第３空気Ａ３を得ることができる。
【００９３】
相対湿度を高めた第３空気Ａ３は、第２取出口１４ｂを介して、居室Ｌに排出される。このように、この実施形態の第２空気流路１５Ｂは、高温かつ高湿の第３空気Ａ３を、居室Ｌに供給することができるため、居室Ｌの暖房及び加湿を両立することができる。
【００９４】
図１３は、本発明のさらに他の実施形態のパネルが用いられる建築物Ｂの概念図である。なお、これまでの実施形態と同一の構成については、同一の符号を付し、説明を省略することがある。この実施形態の建築物Ｂには、前実施形態の建築物Ｂ（図８に示す）と同様に、空気調和機３１及びダクト３６とを含んで構成されている。このため、各居室Ｌには、高温の空調（暖房）された空気Ａｗが供給されうる。
【００９５】
図１４は、空気の相対湿度と、調湿手段の平衡含水率との関係を示すグラフである。このグラフで示される調湿手段は、概ね１０％ＲＨ〜７０％ＲＨの相対湿度域で、良好な吸放湿性能を有するものである。図１４のグラフに示されるように、例えば、冬季において、室外空気（低温の空気）は、高温の空調された空気に比べて相対湿度が高い。このような室外空気は、高温の空調された空気に比べて、調湿手段１６（図４に示す）の平衡含水率を高くすることができる。従って、調湿手段１６に効果的に吸湿させるためには、相対湿度の高い室外空気が、調湿手段１６（図４に示す）に供給されるのが望ましい。
【００９６】
また、高温の空調された空気は、室外空気に比べて、調湿手段１６（図４に示す）の平衡含水率を低くすることができる。従って、調湿手段１６に効果的に放湿させるためには、相対湿度の低い高温の空調された空気が、調湿手段１６（図４に示す）に供給されるのが望ましい。
【００９７】
このような観点に基づいて、この実施形態のパネル２は、室外空気を利用して調湿手段１６に吸湿させ、かつ、高温の空調された空気を利用して調湿手段１６に放湿させている。図１５は、本発明のさらに他の実施形態のパネルの正面図である。なお、これまでの実施形態と同一の構成については、同一の符号を付し、説明を省略することがある。
【００９８】
図１３及び図１５に示されるように、この実施形態のパネル２は、これまでの実施形態の取込ダクト２１、第１取込ダンパー２２、取出ダクト２３、第１取出ダンパー２４、第２取出ダンパー２６、空調ダクト３２及び第３取込ダンパー３３に加え、さらに、連結ダクト４１が含まれている。なお、この実施形態のパネル２には、第２取込ダンパー２５（図１０に示す）が含まれていない。
【００９９】
連結ダクト４１は、第１取込口１３ａ、取込ダクト２１、及び、空調ダクト３２を連結するためのものである。図１５に示されるように、連結ダクト４１は、第１取込口１３ａに接続される主管４１Ａ、取込ダクト２１の一端に接続される第１分岐管４１Ｂ、及び、空調ダクト３２の一端に接続される第２分岐管４１Ｃを含んでいる。このような連結ダクト４１により、小屋裏３０（図１４に示す）と空気流路１５（第１空間５Ａ）との間、及び、空気調和機３１（空調ダクト３２）と空気流路１５（第１空間５Ａ）との間が連通されうる。
【０１００】
次に、この実施形態のパネル２を用いて、居室Ｌの湿度を調整する調湿システムについて説明する。本実施形態の調湿システムは、第１空気流路１５Ａと、第２空気流路１５Ｂとが含まれる。図１６は、本発明のさらに他の実施形態の第１空気流路１５Ａを説明する概念図である。
【０１０１】
この実施形態の第１空気流路１５Ａは、これまでの実施形態の第１空気流路１５Ａ（図６及び図１１に示す）と同様に、調湿手段１６に相対湿度の高い第１空気Ａ１を供給して、調湿手段１６に吸湿させるためのものである。本実施形態の第１空気Ａ１は、高温の空調された空気Ａｗよりも低温の室外空気（小屋裏の空気）Ａｏである。
【０１０２】
この実施形態では、第１取込ダンパー２２及び第１取出ダンパー２４が開かれるとともに、第２取出ダンパー２６及び第３取込ダンパー３３が閉じられる。これにより、小屋裏３０からパネル２の第１空間５Ａ及び第２空間５Ｂを経て、小屋裏３０に至る第１空気流路１５Ａが設定される。従って、本実施形態の第１空気流路１５Ａは、その少なくとも一部が、調湿ボード１６ａ、１６ａ（図４に示す）の間の隙間により形成され、かつ、居室Ｌに面したパネル２内をのびている。また、取込ダクト２１のファン２９が運転される。このような第１空気流路１５Ａにより、低温の小屋裏の空気（室外空気）Ａｏは、パネル２の内部に配置された調湿手段１６に供給される。
【０１０３】
冬季において、小屋裏の空気Ａｏは、高温の空調された空気Ａｗに比べて、相対湿度が高い。このため、小屋裏の空気Ａｏ中に含まれる水分が、調湿手段１６（図４に示す）に効果的に吸収されうる。このように、この実施形態の第１空気流路１５Ａは、相対湿度の高い第１空気Ａ１（本実施形態では、室外空気Ａｏ）を循環させて、調湿手段１６に効果的に吸湿させることができる。
【０１０４】
第１空気流路１５Ａを循環した空気Ａｃ（この実施形態では、調湿手段１６に水分が吸収された低温の小屋裏の空気Ａｏ）は、第１取出口１４ａ及び取出ダクト２３を介して、小屋裏３０に排出されるため、居室Ｌの温度低下を防ぐことができる。
【０１０５】
図１７は、本発明の他の実施形態の第２空気流路１５Ｂを説明する概念図である。この実施形態の第２空気流路１５Ｂは、これまでの実施形態の第２空気流路１５Ｂ（図７及び図１２に示す）と同様に、吸湿させた調湿手段１６に、相対湿度の低い第２空気Ａ２を供給し、相対湿度を高めた第３空気Ａ３を得るためのものである。この実施形態の第２空気Ａ２は、居室の空気Ａｉ及び室外の空気Ａｏよりも高温の空調された空気Ａｗである。
【０１０６】
この実施形態では、第３取込ダンパー３３及び第２取出ダンパー２６が開かれるとともに、第１取込ダンパー２２及び第１取出ダンパー２４が閉じられる。これにより、空気調和機３１（ダクト３６）からパネル２の第１空間５Ａ及び第２空間５Ｂを経て、居室Ｌに至る第２空気流路１５Ｂが設定される。従って、本実施形態の第２空気流路１５Ｂは、その少なくとも一部が、調湿ボード１６ａ、１６ａ（図４に示す）の間の隙間により形成され、かつ、居室Ｌに面したパネル２内をのびている。また、本実施形態では、ダクト３６のファン３７が運転される。このような第２空気流路１５Ｂにより、高温の空調された空気Ａｗは、パネル２の内部に配置される調湿手段１６（図４に示す）に供給される。
【０１０７】
高温の空調された空気Ａｗは、室外の空気Ａｏ（図１６に示す）に比べて相対湿度が低い。このため、調湿手段１６に含まれる水分が、第２空気流路１５Ｂを循環する高温の空調された空気Ａｗ中に、効果的に放出されうる。従って、この実施形態の第２空気流路１５Ｂは、第１空気流路１５Ａ（図１６に示す）によって吸湿させた調湿手段１６（図４に示す）を放湿させて、相対湿度を高めた第３空気Ａ３を得ることができる。
【０１０８】
相対湿度を高めた第３空気Ａ３は、第２取出口１４ｂを介して、居室Ｌに排出される。このように、この実施形態の第２空気流路１５Ｂは、高温かつ高湿の第３空気Ａ３を、居室Ｌに供給することができるため、居室Ｌの暖房及び加湿を両立することができる。
【０１０９】
図１４に示した室外空気と空調された空気との相対湿度の差は、図５に示した室外空気と居室の空気との相対湿度の差、及び、図９に示した居室の空気と空調された空気との相対湿度の差よりも大きい。従って、この実施形態の調湿システムは、これまでの実施形態の調湿システムに比べて、調湿手段１６（図４に示す）への水分の吸収量、及び、調湿手段１６の水分の放出量を大きくすることができるため、調湿機能を効果的に発揮することができる。
【０１１０】
以上、本発明の特に好ましい実施形態について詳述したが、本発明は図示の実施形態に限定されることなく、種々の態様に変形して実施しうる。
【符号の説明】
【０１１１】
１６      調湿手段
Ｌ      居室
【図１】
0006386937.tif 000002
【図２】
0006386937.tif 000003
【図３】
0006386937.tif 000004
【図４】
0006386937.tif 000005
【図５】
0006386937.tif 000006
【図６】
0006386937.tif 000007
【図７】
0006386937.tif 000008
【図８】
0006386937.tif 000009
【図９】
0006386937.tif 000010
【図１０】
0006386937.tif 000011
【図１１】
0006386937.tif 000012
【図１２】
0006386937.tif 000013
【図１３】
0006386937.tif 000014
【図１４】
0006386937.tif 000015
【図１５】
0006386937.tif 000016
【図１６】
0006386937.tif 000017
【図１７】
0006386937.tif 000018